(57)【要約】【課題】色彩変化に富んだ時刻表示装置を提供する。【解決手段】  主体と、前記主体内に位置する面板と、前記面板上に位置する少なくとも一つの指針と、前記指針上に位置する発光材料と、前記主体内に位置し、前記指針下方に位置するバックライトユニットとを備える時刻表示装置であり、少なくとも一つの燐光材料３１が指針３３上に塗布され、固定された波長の光源が照射されることによって異なる色彩で時刻表示を行う。指針３３を任意の形状にして組合せることによって時刻表示の色彩変化をさらに多彩なものにすることができる。【選択図】  図３
0003123607.tif 000002
【実用新案登録請求の範囲】
【請求項１】
主体と、前記主体内に位置する面板と、前記面板上に位置する少なくとも一つの指針と、前記指針上に位置する発光材料と、前記主体内に位置し、前記指針下方に位置するバックライトユニットと、を備える時刻表示装置。
【請求項２】
前記主体は、腕時計或いは置き時計、掛け時計などの時計であることを特徴とする請求項１記載の時刻表示装置。
【請求項３】
前記指針は時針であることを特徴とする請求項１記載の時刻表示装置。
【請求項４】
前記指針は分針であることを特徴とする請求項１記載の時刻表示装置。
【請求項５】
前記指針は秒針であることを特徴とする請求項１記載の時刻表示装置。
【請求項６】
前記時針は、その他の指針よりも短いことを特徴とする請求項４記載の時刻表示装置。
【請求項７】
前記発光材料は、燐光材料であることを特徴とする請求項１記載の時刻表示装置。
【請求項８】
前記バックライトユニットは、固定された波長の光源であることを特徴とする請求項１記載の時刻表示装置。
【考案の詳細な説明】
【技術分野】
【０００１】
本考案は時刻表示装置に関し、特に固定された波長の光によって燐光材料が時間を表示する時刻表示装置に関する。
【背景技術】
【０００２】
時代の流れに従って、時間を表示する方法は多種多様なものとなり、人々は様々な方式によって正確な時間を知ることができるようになった。古代においては日陰によって時間を知り、現在においては時計が発明された。
図１は、腕時計の主体部分の斜視図であり、従来技術を示す一例であるが、腕時計の主体部分は時間を表示する主体１１、面板１２および少なくとも一つの指針１３を備える。面板１２は主体１１内に位置し、さらに指針１３は面板１２上方に位置する。指針１３は少なくとも時針１４、分針１５および秒針１６を備え、時針１４は分針１５および秒針１６よりも短く、秒針１６は時針１４および分針１５よりも細く、主体１１内に位置する。指針１３の組合せによって時間が表示され、様々な表示を行うことができる。
【０００３】
初期の指針は暗闇においては見ることができず、後になって改善がされ、夜光腕時計が発明されて暗闇でも時間を知ることができるようになった。図２は夜光腕時計の主体部分の斜視図および断面図である。図１に示す面板１２が主体１１内に位置し、指針１３が面板１２上に位置する。蛍光剤２１が指針１３に加えられ、蛍光指針２２が形成される。蛍光指針２２は、時針２３、分針２４および秒針２５を備え、時針２３は分針２４および秒針２５よりも短く、秒針２５は時針２３および分針２４よりも細い。蛍光指針２２によって暗闇でも時間を知ることができるが、蛍光剤の発光時間は短いので一定の時間が経過した後は発光せず、また、蛍光剤の発光色は単色である。
【特許文献１】特開２００３−９８９８８号公報
【考案の開示】
【考案が解決しようとする課題】
【０００４】
本考案は、上述の従来技術の欠点に鑑みなされたもので、常時、暗闇で発光する時刻を確認でき、さらに複数の異なる色彩を表現でき、透明指針を任意の形状にして組合せることによって時刻表示の色彩変化をさらに豊富にすることができる時刻表示装置を提供することにある。
【課題を解決するための手段】
【０００５】
本考案は、上記の課題を解決するために、バックライトユニットおよび異なる性質の燐光材料を塗布した指針を組み合わせて様々な時刻表示を行い、燐光発光時間は蛍光剤と異なり、バックライトユニットの照射により、常時、暗闇で発光し、体内には少なくとも一つの透明指針が設けられ、透明指針上には少なくとも一つの発光材料が塗布され、バックライトユニットによって透明指針は異なる色彩を表現することができ、透明指針がバックライトユニットからの固定された波長の光源による照射によって燐光材料を異なる色彩で時刻表示を行うことができ、透明指針を任意の形状にして組合せることによって時刻表示の色彩変化をさらに豊富にすることができる時刻表示装置である。
【０００６】
すなわち、請求項１の考案は、主体と、前記主体内に位置する面板と、前記面板上に位置する少なくとも一つの指針と、前記指針上に位置する発光材料と、前記主体内に位置し、前記指針下方に位置するバックライトユニットとを備える時刻表示装置である。
請求項２の考案は、前記主体は、腕時計或いは置き時計、掛け時計などの時計であることを特徴とする請求項１記載の時刻表示装置である。
請求項３の考案は、前記指針は時針であることを特徴とする請求項１記載の時刻表示装置である。
請求項４の考案は、前記指針は分針であることを特徴とする請求項１記載の時刻表示装置である。
請求項５の考案は、前記指針は秒針であることを特徴とする請求項１記載の時刻表示装置である。
請求項６の考案は、前記時針は、その他の指針よりも短いことを特徴とする請求項４記載の時刻表示装置である。
請求項７の考案は、前記発光材料は、燐光材料であることを特徴とする請求項１記載の時刻表示装置である。
請求項８の考案は、前記バックライトユニットは、固定された波長の光源であることを特徴とする請求項１記載の時刻表示装置である。
【考案の効果】
【０００７】
本考案の時刻表示装置によれば、腕時計及び置き時計、掛け時計などの時計に関し、少なくとも一つの燐光材料が透明指針上に塗布され、固定された波長の光源が常時照射されることによって異なる色彩で時刻表示を行い、透明指針を任意の形状にして組合せることによって時刻表示の色彩変化をさらに多彩なものにすることができる。
【考案を実施するための最良の形態】
【０００８】
本考案の目的、特徴および効果を示す好適な時刻表示装置の実施例を図に沿って詳細に説明する。
図３は、本考案の実施例によるバックライトユニットに、少なくとも一つの発光材料を合わせた時刻表示装置を示す斜視図および断面図である。
図１の従来技術に示すような主体１１を備えるが、図３の本実施例では、主体１１内の面板（パネル）１２上に位置する指針は、燐光材料３１が透明尖形指針３２上全体に塗布されて燐光材料３１を備える指針３３が形成される。燐光材料３１を備える指針３３は時針３４、分針３５および秒針３６を備える。
【０００９】
また、異なる性質の燐光材料３１を加えて燐光材料３１を備える指針３３は異なる多彩な色彩を表現することができる。さらに、バックライトユニット３７が面板１２下方に位置し、バックライトユニット３７の固定された波長の光源によって、燐光材料３１を備える指針３３はもう一種類の異なる色彩を表現できる。
【００１０】
図４は、本考案の実施例によるバックライトユニットに少なくとも一つの発光材料を合わせたもう一つの時刻表示装置を示す斜視図および断面図である。図１の従来技術に示すような主体１１を備え、面板１２が主体１１内に位置し、燐光材料３１が透明尖形指針３２の先端に塗布されて燐光材料３１を備える指針４１が形成される。燐光材料３１を備える指針４１は時針４２、分針４３および秒針４４を備える。また、異なる性質の燐光材料３１を加えて燐光材料３１を備える指針４１は異なる多彩な色彩を表現することができる。また、バックライトユニット３７が面板１２下方に位置し、バックライトユニット３７の固定された波長の光源によって、燐光材料３１を備える指針４１はもう一種類の異なる色彩を表現できる。
【００１１】
図５は、本考案によるバックライトユニットに少なくとも一つの発光材料を合わせたさらにもう一つの時刻表示装置を示す斜視図および断面図である。図１の従来技術に示すような主体１１を備え、面板１２が主体１１内に位置し、燐光材料３１が透明造形指針５１上全体に塗布されて燐光材料３１を備える造形指針５２が形成される。燐光材料３１を備える造形指針５２は時針５３、分針５４および秒針５５を備える。また、異なる性質の燐光材料３１を加えて燐光材料３１を備える造形指針５２は異なる多彩な色彩を表現することができる。また、バックライトユニット３７が面板１２下方に位置し、バックライトユニット３７の固定された波長の光源によって、燐光材料３１を備える造形指針５２は、固定された波長の光源とは異なったもう一種類の異なる色彩を表現できる。
【００１２】
図６は、本考案の実施例による指針の色彩変化の過程を示すフローチャートの図である。本実施例において、指針の組合せの色彩変化は下記のステップによって行われる。先ず、ステップＳ６１で燐光材料３１を備える時針３４と燐光材料３１を備える分針３５とが重なったとき、これを感知し、ステップＳ６２ではバックライトユニット３７で照射し、これによって、ステップＳ６３は重なった部分にもう一種類の色彩が生成されるようにする。
【００１３】
本考案の実施例のバックライトユニットの外観および配列方式には、様々な変化を施すことができる。図７は本考案によるバックライトユニットの異なる外観および配列方式を示す断面図である。
このバックライトユニット３７については、少なくとも三種類の外観および配列方式があり、適宜選択して使用すればよい。これら配列方式で、第１の方式はバックライトユニット３７が面板１２の下方全体に板状に敷設されて板状バックライトユニット７１を形成するものである。第２の方式はバックライトユニット３７が面板１２の下方周囲に円状に分布されて円状バックライトユニット７２を形成するものである。第３の方式はバックライトユニット３７が面板１２の下方の中心に円状に設置されて中心円状バックライトユニット７３を形成するものである。
【００１４】
上述の説明から分かるように、本考案の実施例は、燐光材料を備える指針およびバックライトユニットを備える時刻表示装置であり、時刻表示装置としては腕時計及び置き時計、掛け時計などの時計に適用でき、少なくとも一つの燐光材料が透明指針上に塗布され、燐光材料は比較的長く発光し、固定された波長の光源が照射されることによって異なる色彩で時刻表示を行い、透明指針を任意の形状にして組合せることによって時刻表示の色彩変化をさらに多彩なものにすることができるものであり、従来技術の欠点を解決でき、使用者はさらに多くの選択性および操作性を享受でき、多種多様な時刻表示を行うことができる。
上述の詳細な説明は本考案の実施例を示すものであり、本考案の特徴を損なうものでなければ、実施例に制限されるものではなく、本考案の主旨および均等の範囲内において、各種の変更および修飾を行うことができることは勿論である。
【図面の簡単な説明】
【００１５】
【図１】従来技術による腕時計の主体部分を示す斜視図である。
【図２】従来技術による夜光腕時計の主体部分を示す斜視図および断面図である。
【図３】本考案によるバックライトユニットに少なくとも一つの発光材料を合わせた時刻表示装置を示す斜視図および断面図である。
【図４】本考案によるバックライトユニットに少なくとも一つの発光材料を合わせたもう一つの時刻表示装置を示す斜視図および断面図である。
【図５】本考案によるバックライトユニットに少なくとも一つの発光材料を合わせたさらにもう一つの時刻表示装置を示す斜視図および断面図である。
【図６】本考案による指針の色彩変化の過程を示すフローチャート図である。
【図７】本考案によるバックライトユニットの異なる外観および配列方式を示す断面図である。
【符号の説明】
【００１６】
１１    時刻表示主体
１２    面板（パネル）
１３    指針
１４    時針
１５    分針
１６    秒針
２１    蛍光塗料
２２    指針
２３    時針
２４    分針
２５    秒針
３１  燐光材料
３２  透明尖形指針
３３  指針
３４  時針
３５  分針
３６  秒針
３７  バックライトユニット
４１  指針
４２  時針
４３  分針
４４  秒針
５１  透明造形指針
５２  造形指針
５３  時針
５４  分針
５５  秒針
７１  板状バックライトユニット
７２  円状バックライトユニット
７３  中心円状バックライトユニット
【図１】
0003123607.tif 000003
【図２】
0003123607.tif 000004
【図３】
0003123607.tif 000005
【図４】
0003123607.tif 000006
【図５】
0003123607.tif 000007
【図６】
0003123607.tif 000008
【図７】
0003123607.tif 000009